(57)【特許請求の範囲】
【請求項１】
建物又は建具の開口部に開閉可能に設けられた縦辷り出し窓であって、
前記開口部の開口縁部に沿って設けられ、縦枠と横枠とが矩形に枠組みされた枠体と、
前記枠体内に開閉可能に嵌め込まれ、縦框と横框とが矩形に枠組みされた框体を有する障子と、
前記縦框を構成する戸先側縦框の見込面に沿って設けられ、操作レバーの操作に連動して上下方向にスライド可能な連動バーと、
前記連動バーの上下方向に間隔を空けて設けられ、前記縦枠側に向かって突出する被係合片と、
前記障子が閉止した状態で前記連動バーに対向する前記縦枠の見込面に設けられ、前記被係合片がそれぞれ係合可能な係合部と、
前記障子が閉止した状態で前記横枠を構成する下枠の前記戸先側縦框の下端面に対向する部位に設けられ、火災時に前記戸先側縦框の下端面を支持可能な支持面部を有する支持部材と、を備え、
前記被係合片及び前記係合部は、前記操作レバーの位置に対して、上下方向に２対設けられるとともに、更に前記戸先側縦框の上端側に１対設けられ、
前記連動バーは、樹脂により形成され、平生時に前記戸先側縦框の見込み面に形成された溝に係合して摺動可能な樹脂係合部と、金属により形成され且つ前記樹脂係合部よりも外径寸法が小さく形成され、平生時に前記溝との間に隙間が生じて接触せず、火災時に前記溝に係合可能な金属係合部と、を備える縦辷り出し窓。
【請求項２】
戸に設けられた採風窓である請求項１に記載の縦辷り出し窓。
【発明の詳細な説明】
【技術分野】
【０００１】
本発明は、縦辷り出し窓に関し、より詳細には、防火仕様の縦辷り出し窓に関する。
【背景技術】
【０００２】
従来、ドア等の建具において、防火性能を向上させる技術が知られている（例えば、特許文献１参照）。
ところで、建具の備える戸に、更に開口を形成し、その開口に縦辷り出し窓を設ける場合がある。この縦辷り出し窓を開放すれば、戸を開放することなく屋内の換気を行うことが可能になる。
【先行技術文献】
【特許文献】
【０００３】
【特許文献１】特開２０１３−７９５６３号公報
【発明の概要】
【発明が解決しようとする課題】
【０００４】
しかしながら、このような縦辷り出し窓は、火災における熱によって框が反ってしまい、枠との間に隙間が生じてしまう可能性がある。火災において、このような隙間が生じた場合、その隙間を火炎や煙が通過してしまう。
【０００５】
一方、防火性能向上の要請は近年更に高まってきている。このため芯材を配置して縦辷り出し窓の框の反りを抑制するといった一般的な対処法だけではこのような要請に十分には応えきれない懸念がある。
【０００６】
本発明は、上記課題に鑑みてなされたものであり、簡単な構成で防火性能をより向上させた、縦辷り出し窓を提供することを目的とする。
【課題を解決するための手段】
【０００７】
上記技術課題に対応するために、ここに、次のような技術を提案する。
【０００８】
本発明の縦辷り出し窓は、建物又は建具の開口部（例えば、後述の開口部３０）に開閉可能に設けられた縦辷り出し窓（例えば、後述の縦辷り出し窓３０ａ）であって、前記開口部の開口縁部に沿って設けられ、縦枠（例えば、後述の、戸先側の開口部縦枠５３、吊元側の開口部縦枠５４）と横枠（例えば、後述の、開口部上枠５１、開口部下枠５２）とが矩形に枠組みされた枠体（例えば、後述の開口部枠体５０）と、前記枠体内に開閉可能に嵌め込まれ、縦框（例えば、後述の、戸先側の採風縦框４１３、吊元側の採風縦框４１４）と横框（例えば、後述の、採風上框４１１、採風下框４１２）とが矩形に枠組みされた框体を有する障子と、前記縦框を構成する戸先側縦框（例えば、後述の戸先側の採風縦框４１３）の見込面（例えば、後述の見込面４１３ｓ）に沿って設けられ、操作レバー（例えば、後述の操作レバー６３１）の操作に連動して上下方向にスライド可能な連動バー（例えば、後述の連動バー６０１）と、前記連動バーの上下方向に間隔を空けて設けられ、前記縦枠側に向かって突出する被係合片（例えば、後述の被係合片６１１，６１２，６１３）と、前記障子が閉止した状態で前記連動バーに対向する前記縦枠の見込面に設けられ、前記被係合片がそれぞれ係合可能な係合部（例えば、後述の係合部６２１，６２２，６２３）と、前記障子が閉止した状態で前記横枠を構成する下枠（例えば、後述の開口部下枠５２）の前記戸先側縦框の下端面に対向する部位に設けられ、火災時に前記戸先側縦框の下端面（例えば、後述の下端側見込面４１３ｖ）を支持可能な支持面部（例えば、後述の支持面部７０１）を有する支持部材（例えば、後述の支持部材７００）と、を備え、前記被係合片及び前記係合部は、前記操作レバーの位置に対して、上下方向に２対設けられるとともに、更に前記戸先側縦框の上端側に１対設けられている。
【０００９】
また、前記連動バーは、樹脂により形成され、前記戸先側縦框の見込み面に形成された溝に係合して摺動可能な樹脂係合部（例えば、後述の樹脂製スライダー部６４３ａ）と、金属により形成され、火災時に前記溝に係合可能な金属係合部（例えば、後述の金属製スライダー部６４３ｂ）と、を備えることが好ましい。
【００１０】
また、前記縦辷り出し窓は、戸（例えば、後述の戸１）に設けられた採風窓であることが好ましい。
【発明の効果】
【００１１】
本発明によれば、簡単な構成で防火性能をより向上させた、縦辷り出し窓を具現することができる。
【図面の簡単な説明】
【００１２】
【図１】本発明の一実施形態に係る縦辷り出し窓を備える建具を屋外側から見た姿図である。
【図２】図１の縦辷り出し窓を備える建具を屋内側から見た姿図である。
【図３】図１の建具の縦断面図である。
【図４】図１の建具の横断面図である。
【図５】図１の縦辷り出し窓の障子とロック機構の概要を示す姿図である。
【図６】図１の縦辷り出し窓のロック機構を示す図である。
【図７】図１の縦辷り出し窓の支持部材周りの斜視図である。
【図８】図７の支持部材近傍を断面視した図である。
【発明を実施するための形態】
【００１３】
以下に、本発明の一実施形態について詳述することにより本発明を明らかにする。
なお、本明細書において、「見付方向」とは、戸の面に沿った水平方向（左右方向）を意味し、「見込方向」とは、戸の厚さ方向を意味する。
【００１４】
図１は、本実施形態に係る戸１を備える建具１００を屋外側から見た姿図である。
図２は、本実施形態に係る建具１００を屋内側から見た姿図である。
図１及び図２において、戸１は、玄関ドア等の開き戸である。
建具１００は、固定枠体１１０と、丁番１２１，１２２，１２３と、ドアクローザ１３０（図２参照）と、ドアガード１４０（図２参照）と、を更に備える。
【００１５】
固定枠体１１０は、建物に形成された躯体開口部Ａの周囲に配置される。固定枠体１１０は、横枠としての固定上枠１１１及び固定下枠１１２と縦枠としての吊元側の固定縦枠１１３及び戸先側の固定縦枠１１４により矩形に枠組みされる。
【００１６】
丁番１２１，１２２，１２３は、吊元側の固定縦枠１１３及び戸１に接続される。
ドアクローザ１３０は、戸１の屋内側の上側であって、戸１の見付方向（左右方向）の中心よりも吊元側に寄って配置される。ドアクローザ１３０は、本体が戸１に、アームが固定上枠１１１に、それぞれ接続され、戸１を自動的に閉じる。
【００１７】
ドアガード１４０は、戸１に配置され且つループ状に形成されたドアガード本体部１４１と、戸先側の固定縦枠１１４に配置され且つドアガード本体部１４１が掛合することが可能なドアガード受け部１４２と、を有する。ドアガード１４０は、ドアガード本体部１４１がドアガード受け部１４２に掛合することで、戸１が開放されるのを制限する。
【００１８】
戸１は、建物に形成された躯体開口部Ａの内部に、開閉可能に嵌め込まれる。具体的には、戸１は、丁番１２１，１２２，１２３によって、固定枠体１１０の内側に吊り込まれる。
戸１は、框体２０と、開口部３０と、障子４０と、開口部枠体５０と、屋外側面材６１と、屋外側ハンドル６２と、シリンダー６３，６４と、屋内側面材７１と、屋内側ハンドル７２と、サムターン７３，７４と、格子８０と、を備える。
【００１９】
框体２０は、戸体の四周を囲んで配置される。框体２０は、横框としての上框２１及び下框２２と縦框としての吊元側の縦框２３及び戸先側の縦框２４により矩形に框組みされる。
開口部３０は、框体２０の内側であって、戸１の見付方向（左右方向）の中心よりも吊元側に形成される。
【００２０】
そして、この開口部３０に矩形に枠組みして設けられた開口部枠体５０及びこの開口部枠体５０に適合する障子４０等を含んで、本実施形態である縦辷り出し窓３０ａが構成される。
【００２１】
縦辷り出し窓３０ａにおいて、障子４０は、開口部３０の内側に嵌め込まれる。障子４０は、縦辷り出しタイプの障子であり、障子４０を開放すれば、戸１を開放することなく屋内の通気・換気（採風）が可能になる。
障子４０は、採風框体４１と、ガラス４２と、把手４３（図２参照）と、を備える。採風框体４１は、横框としての採風上框４１１及び採風下框４１２と、縦框としての戸先側の採風縦框４１３及び吊元側の採風縦框４１４により矩形に框組される（図２参照）。ガラス４２は、スイング框体である採風框体４１の内側に嵌め込まれる。把手４３は、戸先側の採風縦框４１３の屋内側に配置される。障子４０の吊元は、戸１の戸先側に、障子４０の戸先は、戸１の吊元側に、それぞれ配置される。
【００２２】
また、縦辷り出し窓３０ａにおける開口部枠体５０は、開口部３０の周囲に配置される。開口部枠体５０は、横枠としての開口部上枠５１及び開口部下枠５２と、縦枠としての戸先側の開口部縦枠５３及び吊元側の開口部縦枠５４により矩形に枠組みされる。
【００２３】
屋外側面材６１は、戸１の屋外側の表面に配置される（図１参照）。
屋外側ハンドル６２は、戸１の屋外戸先側における高さ方向の略中央部に配置される。屋外側から屋外側ハンドル６２を把持して戸１を屋外側に引くことで、戸１を、丁番１２１，１２２，１２３を中心に回動させて開放することができる。
【００２４】
シリンダー６３，６４は、屋外側ハンドル６２の上下にそれぞれ配置される。シリンダー６３，６４は、鍵を挿入して回転させることができる。シリンダー６３，６４を回転させることで図示しないデットボルトを操作できる。デットボルトを操作することで建具１００を施錠できる。
【００２５】
屋内側面材７１は、戸１の屋内側の表面に配置される（図１参照）。
屋内側ハンドル７２は、戸１の屋内戸先側における高さ方向の略中央部に配置される。屋外側から屋内側ハンドル７２を把持して引くことで、戸１を、丁番１２１，１２２，１２３を中心に回動させて開放することができる。
【００２６】
サムターン７３，７４は、屋内側ハンドル７２の上下にそれぞれ配置される。サムターン７３，７４を回転させることによっても、図示しないデットボルトを操作して、建具１００を施錠できる。
【００２７】
格子８０は、開口部３０（障子４０）の屋外側に配置される。格子８０は、縦格子８１と、水平材８２と、を有する。
縦格子８１は、戸１の上端から下端に亘って延設される。水平材８２は、縦格子８１の障子側に配置され、縦格子８１の高さ方向の略中央部において、縦格子８１と直角に交差する。
【００２８】
図３は、戸１の縦断面図である。
図３に示すように、縦辷り出し窓３０ａにおける障子４０のガラス４２は、屋外側の板ガラス４２１と、屋内側の板ガラス４２２と、これら２枚の板ガラスで挟持されたスペーサ４２３と、を備える複層ガラスであり、優れた断熱性を有する。
なお、戸１は、ガラス４２の屋外側に配置される網６５を有する。網６５は、障子４０を開放することで屋外と屋内とを開口部３０を通じて連通させた際に、虫等が屋内に侵入するのを防ぐ。また、戸１は、屋外側面材６１と屋内側面材７１との間に配置される断熱材Ｈを有する。断熱材Ｈは、例えば、発泡ポリスチレンからなる。
【００２９】
上框２１は、断面がＵ字状である樹脂上框２１１と、樹脂上框２１１の内部に配置される断面がＵ字状の上框芯材２１２と、上框２１のエッジ部分を覆うエッジ部材２１３と、を有する。樹脂上框２１１及び上框芯材２１２は、リベット２１ａによって接続される。
【００３０】
開口部上枠５１は、開口部上枠本体５１１と、開口部上枠芯材５１２と、開口部上枠内部芯材５１３と、を有する。
【００３１】
開口部上枠本体５１１は、中空部５１１ａを有するホロー構造である。また、開口部上枠本体５１１は、下方に延出した延出部５１１ｂを有する。延出部５１１ｂは、屋外側に屈曲しつつ下方に延出する。開口部上枠本体５１１は、例えばアルミニウムで構成される。より具体的には、開口部上枠本体５１１は、アルミニウムを押出成形することで得られる。
【００３２】
開口部上枠本体５１１は、延出部５１１ｂの基端側の屋内側に配置される加熱発泡材５１１ｃと、加熱発泡材５１１ｃの近傍に配置される気密材５１１ｄと、加熱発泡材５１１ｃよりも先端側の屋内側に配置される加熱発泡材５１１ｅと、加熱発泡材５１１ｅの近傍に配置される網６５を固定するための網押し棒５１１ｆと、網押し棒５１１ｆと開口部上枠本体５１１との隙間に一端が圧入されて他端が加熱発泡材５１１ｅを押さえる加熱発泡材押さえ金具５１１ｇと、を有する。
【００３３】
開口部上枠芯材５１２は、開口部上枠本体５１１の上方に配置される。開口部上枠芯材５１２は、上方に開放された断面Ｃ字状の長尺部材であり、例えば、ステンレスからなる。開口部上枠芯材５１２は、屋外側においてリベット５１２ａによって開口部上枠本体５１１に固定され、屋内側においてリベット５１２ｂによって後述するモール固定部材５１６に固定される。開口部上枠芯材５１２と開口部上枠本体５１１との間には、屋外側面材６１の一部及び加熱発泡材５１２ｃが配置される。開口部上枠芯材５１２とモール固定部材５１６との間には、屋内側面材７１の一部及び加熱発泡材５１２ｄが配置される。
【００３４】
開口部上枠内部芯材５１３は、開口部上枠本体５１１の中空部５１１ａに配置される。開口部上枠内部芯材５１３は、断面が上方に開放されたＣ字状の長尺部材であり、例えば、ステンレスからなる。
【００３５】
また、戸１は、開口部屋外上側モール部材５１４と、開口部屋内上側モール部材５１５と、モール固定部材５１６と、を有する。
【００３６】
開口部屋外上側モール部材５１４は、開口部上枠５１の屋外側に配置される。開口部屋外上側モール部材５１４は、図示しないネジによって、後述する開口部屋外吊元側モール部材５３４及び開口部屋外戸先側モール部材５４４と連結される。開口部屋外上側モール部材５１４は、上框２１から開口部上枠５１の屋外側を覆う。
【００３７】
開口部屋内上側モール部材５１５は、開口部上枠５１の屋内側に配置される。
モール固定部材５１６は、開口部屋内上側モール部材５１５を固定するための部材であって、ネジ５１６ａによって開口部上枠本体５１１に締結される。開口部屋内上側モール部材５１５は、スナップフィットによりモール固定部材５１６に固定される。
【００３８】
採風上框４１１は、中空部４１１ａを有するホロー構造である。また、採風上框４１１は、上方に延出した延出部４１１ｂと、下方に形成された溝部４１１ｃと、を有する。採風上框４１１には上面に加熱発泡材４１１ｄが、延出部４１１ｂの屋外側には加熱発泡材４１１ｅが貼り付けられ、加熱発泡材４１１ｄ及び加熱発泡材４１１ｅは、断面がＬ字状の固定金具４１１ｆによって固定される。溝部４１１ｃの内部には、断面が下方に開放したＣ字状の採風上框芯材４１１ｇが配置され、採風上框芯材４１１ｇの内部には加熱発泡材４１１ｈが配置される。
【００３９】
採風上框４１１は、障子４０の閉鎖時に屋外側において気密材５１１ｄと当接する。
ガラス４２の上側の端部は、溝部４１１ｃに嵌め込まれて、グレイジングチャンネル４１１ｉを介して採風上框４１１に挟持される。
【００４０】
下框２２、開口部下枠５２及び採風下框４１２は、それぞれ上框２１、開口部上枠５１及び採風上框４１１とほぼ同様の構造を有する。下框２２、開口部下枠５２及び採風下框４１２については、上框２１、開口部上枠５１及び採風上框４１１と同様の構造には対応する符号を付して説明を省略し、異なる構造について説明する。
【００４１】
開口部下枠本体５２１は、屋外側に配置され、中空部５２１ａから雨水等を排水するための排水弁５２１ｊを有する。
開口部下枠内部芯材５２３には、屋外側及び屋内側にそれぞれ加熱発泡材５２３ａ，５２３ｂが配置される。
また、中空部４１２ａの内部には、断面がＭ字状の採風下框内部芯材４１２ｊが配置され、溝部４１２ｃの内部の加熱発泡材４１２ｈの上には、ガラス４２を支持する緩衝材４１２ｋが配置される。
【００４２】
更に、戸１は、開口部上枠５１及び採風上框４１１と接続される上側アームＳ１と、開口部下枠５２及び採風下框４１２と接続される下側アームＳ２と、を有する。上側アームＳ１及び下側アームＳ２によって、障子４０が開口部３０の内側に開閉可能に吊り込まれるようにして縦辷り出し窓３０ａの開閉に係る作動部分が構成されている。
【００４３】
図４は、戸１の横断面図である。図４においては、縦格子８１の断面は示さない。
吊元側の縦框２３は、断面がＵ字状である樹脂縦框２３１と、樹脂縦框２３１の内部に配置される断面がＵ字状の縦框芯材２３２と、縦框２３のエッジ部分を覆うエッジ部材２３３と、を有する。樹脂縦框２３１、縦框芯材２３２及びエッジ部材２３３は、ネジ２３ａによって接続される。
【００４４】
開口部縦枠５３は、開口部縦枠本体５３１と、開口部縦枠芯材５３２と、を有する。
開口部縦枠本体５３１は、戸先側に延出した延出部５３１ｂを有する。開口部縦枠本体５３１は、例えばアルミニウムで構成される。より具体的には、開口部縦枠本体５３１は、アルミニウムを押出成形することで得られる。
【００４５】
開口部縦枠本体５３１は、屋内側の面に配置される加熱発泡材５３１ｃと、加熱発泡材の近傍に配置される気密材５３１ｄと、延出部５３１ｂの屋内側に配置される加熱発泡材５３１ｅと、加熱発泡材５３１ｅの近傍に配置される網６５を固定するための網押し棒５３１ｆと、網押し棒５３１ｆと開口部縦枠本体５３１との隙間に一端が圧入されて他端が加熱発泡材５３１ｅを固定する加熱発泡材固定部材５３１ｇと、を有する。開口部縦枠本体５３１の吊元側の面には、加熱発泡材５３１ｈが配置される。
【００４６】
開口部縦枠芯材５３２は、開口部縦枠本体５３１の吊元側に配置される。開口部縦枠芯材５３２は、断面が吊元側に開放されたＣ字状の長尺部材であり、例えば、ステンレスからなる。開口部縦枠芯材５３２は、屋外側においてリベット５３２ａによって開口部縦枠本体５３１に固定され、屋内側においてリベット５３２ｂによって後述するモール固定部材５３６に固定される。開口部縦枠芯材５３２と開口部縦枠本体５３１との間には、屋外側面材６１の一部及び加熱発泡材５３２ｃが配置される。開口部縦枠芯材５３２とモール固定部材５３６との間には、屋内側面材７１の一部及び加熱発泡材５３２ｄが配置される。
【００４７】
また、戸１は、開口部屋外吊元側モール部材５３４と、開口部屋内吊元側モール部材５３５と、モール固定部材５３６と、を有する。
【００４８】
開口部屋外吊元側モール部材５３４は、開口部縦枠５３の屋外側に配置される。開口部屋外吊元側モール部材５３４は、ネジ５３４ａによって、水平材８２と連結される。また、開口部屋外吊元側モール部材５３４は、モール固定部材５３４ｂによって開口部縦枠５３に固定され、モール固定部材５３４ｃによって断熱材Ｈに固定される。
【００４９】
開口部屋内吊元側モール部材５３５は、開口部縦枠５３の屋内側に配置される。
モール固定部材５３６は、開口部屋内吊元側モール部材５３５を固定するための部材であって、ネジ５３６ａによって開口部縦枠本体５３１に締結される。開口部屋内吊元側モール部材５３５は、スナップフィットによりモール固定部材５３６に固定される。
【００５０】
採風縦框４１３は、中空部４１３ａを有するホロー構造である。また、採風縦框４１３は、戸先側に形成された溝部４１３ｃと、を有する。中空部４３２ａの内部には、断面が戸先側に開放したＣ字状の採風縦框内部芯材４１３ｊが配置される。溝部４１３ｃの内部には、断面が戸先側に開放したＣ字状の採風縦框芯材４１３ｇが配置され、採風縦框芯材４１３ｇの内部には加熱発泡材４１３ｈが配置される。
【００５１】
採風縦框４１３は、障子４０の閉鎖時に屋外側において気密材５３１ｄと当接する。
ガラス４２の吊元側の端部は、溝部４１３ｃに嵌め込まれて、グレイジングチャンネル４１３ｉを介して採風縦框４１３に挟持される。
【００５２】
戸１は、吊元側の開口部縦枠５３と採風縦框４１３との間に、縦辷り出し窓３０ａの障子４０が開放されるのを制限するロック機構６００を有する。ロック機構６００は、把手４３によって操作される。
【００５３】
戸先側の縦框２４、開口部縦枠５４及び採風縦框４１４は、吊元側の縦框２３、開口部縦枠５３及び採風縦框４１３は、とほぼ同様の構造を有する。下戸先側の縦框２４、開口部縦枠５４及び採風縦框４１４については、吊元側の縦框２３、開口部縦枠５３及び採風縦框４１３と同様の構造には対応する符号を付して説明を省略し、これらと異なる構造について説明する。
【００５４】
戸先側の樹脂縦框２４１は、屋外側及び屋内側に別々に配置される。エッジ部材２４３は、戸１を閉鎖した際に固定縦枠１１４に当接する延出部２４３ａを有する。
戸先側の開口部下縦枠本体５４１の吊元側及び戸先側の採風縦框４１４の戸先側には、それぞれ加熱発泡材５４１ｉ及び加熱発泡材４１４ｍが互いに対向して配置される。更に
戸先側の開口部下縦枠本体５４１の吊元側及び戸先側の採風縦框４１４の戸先側には、屈曲して延出する延出部材５４１ｊ及び延出部材４１４ｎがそれぞれ配置される。
【００５５】
図５は、図１及び図２の縦辷り出し窓３０ａの障子４０とロック機構６００の概要を示す姿図である。
図５において、障子４０は、採風上框４１１、採風下框４１２、戸先側の採風縦框４１３、及び、吊元側の採風縦框４１４により四周を囲むように構成された採風框体４１にガラス４２が嵌めこまれて構成されている。
本実施形態におけるロック機構６００では、縦辷り出し窓３０ａにおける戸先側の採風縦框４１３の見込面４１３ｓに設けられた複数の被係合片６１１，６１２，６１３が、これらの被係合片６１１，６１２，６１３に対応して戸先側の開口部縦枠５３側に配された係合部６２１，６２２，６２３（図６参照）に係合することによって、障子４０が閉止状態でロックされる。
【００５６】
戸先側の採風縦框４１３の見込面４１３ｓの長手方向に沿って連動バー６０１がスライド可能に設けられている。被係合片６１１，６１２，６１３は、この連動バー６０１に上記長手方向に所定間隔を空けて設けられている。
即ち、被係合片と係合部とが、操作レバー６３１の位置に対して、上下方向に、被係合片６１１と係合部６２１、及び、被係合片６１２と係合部６２２との組み合わせとして２対設けられている。
本実施形態では特に、連動バー６０１は、上端が戸先側の採風縦框４１３の上端に臨む位置まで延長され、この延長された上端側近傍に最上段の被係合片６１３が設けられている。また、この最上段の被係合片６１３に対応して、戸先側の開口部縦枠５３の見込面４１３ｓに最上段の係合部６２３（図６参照）が設けられている。
この最上段の１対の被係合片６１３及び係合部６２３が係合することによって、火災時に高温に晒されても障子４０の反りが効果的に抑制される。
でロックされる。
【００５７】
連動バー６０１には、後に詳述するように、上端側と下端側に係合スライダー６４３が設けられている。また、操作機構６３０の操作レバー６３１によって回動する回動レバー６３２と係合して上下動する連結係合スライダー６４１が上下方向の中間位置に設けられている。更に、後述する金属製スライダー部６４３ｍが連結係合スライダー６４１の比較的近傍に設けられている。
【００５８】
図６は、図１の縦辷り出し窓３０ａのロック機構６００を示す図である。
既述のように、このロック機構６００では、縦辷り出し窓３０ａにおける戸先側の採風縦框４１３の見込面４１３ｓに設けられた複数の被係合片６１１，６１２，６１３が、これらの被係合片６１１，６１２，６１３に対応して戸先側の開口部縦枠５３側に配された係合部６２１，６２２，６２３に係合することによって、障子４０が閉止状態でロックされる。
図６の（Ａ）部は、縦辷り出し窓３０ａにおける戸先側の採風縦框４１３の側面側の見込面４１３ｓ側から見た様子を表している。見込面４１３ｓの長手方向に沿ってスライド可能に連動バー６０１が設けられている。この連動バー６０１に上記長手方向に所定間隔を空けて被係合片６１１，６１２，６１３が設けられている。
【００５９】
図６の（Ｂ）部は、連動バー６０１に設けられた被係合片６１１，６１２，６１３が、これらの被係合片６１１，６１２，６１３に対応して戸先側の開口部縦枠５３の見込面４１３ｓに設けられた係合部６２１，６２２，６２３に係合する様子を表している。
図示のように、被係合片６１１，６１２，６１３は、先端側の頭部に相対的に大径の円板状の係合頭部６１１ａ，６１２ａ，６１３ａをこれに連なる円柱状の係合ピン６１１ｂ，６１２ｂ，６１３ｂによって支持する形態をなしている。各係合ピン６１１ｂ，６１２ｂ，６１３ｂの基部側が連動バー６０１の各所定位置に固定されている。
【００６０】
本実施形態では特に、被係合片と係合部とが、戸先側の採風縦框４１３の上下方向での中間位置近傍に、被係合片６１１と係合部６２１、及び、被係合片６１２と係合部６２２との組み合わせとして２対設けられ、更に、戸先側の採風縦框４１３の上端に臨む位置に被係合片６１３と係合部６２３との組み合わせとして１対設けられている。
【００６１】
連動バー６０１は、戸先側の採風縦框４１３の見込面４１３ｓの長手方向に沿ってその略全長に亘って形成されたガイドレール６０２によって上下にスライド自在に保持されている。
連動バー６０１を上下にスライドさせる操作を行うための操作機構６３０が、戸先側の採風縦框４１３の上下方向での中間位置であって見込面４１３ｓとは交差する室内側の面に設けられている。操作機構６３０は、図示しない内部の変位伝達機構を通して、操作レバー６３１の変位を回動レバー６３２に伝達する。
【００６２】
図６の（Ｃ）部には、戸先側の採風縦框４１３の、操作機構６３０が取付けられている部位が部分断面視にて表されている。図示の通り、操作機構６３０の外殻の一部が図２の把手４３を構成している。
図６の（Ａ）部及び（Ｃ）部を参照して、ロック機構６００の連動バー６０１周りの構成について更に詳述する。
ガイドレール６０２は、断面視にて開口側が若干狭められた形に成形されている。このようなガイドレール６０２に、ガイドレール６０２の開口側から開口奥側に向かって段差を以て幅広になった樹脂製の係合部としての連結係合スライダー６４１がガイドレール６０２に沿って摺動自在に嵌装されている。
連結係合スライダー６４１は、連動バー６０１の上下方向での中間位置近傍に被せるようにして固定されている。この連結係合スライダー６４１の連動バー６０１とは反対側の面に係合ピン６４２が突設されている。そして、操作機構６３０の回動レバー６３２に設けられた長孔６３３に、この係合ピン６４２が摺動自在に係合している。
連動バー６０１の上下両端には係合ピンを有しない係合スライダー６４３がねじ止めにて装着されている。
【００６３】
本実施形態では特に、係合スライダー６４３は、樹脂製の係合部である樹脂製スライダー部６４３ａと、金属製の係合部である金属製スライダー部６４３ｂとが、連動バー６０１の長手方向に連接して構成されている。そして、係合スライダー６４３の連動バー６０１への取付けは、金属製スライダー部６４３ｂが樹脂製スライダー部６４３ａの外面に延び出した部位で樹脂製スライダー部６４３ａを貫通して連動バー６０１にネジ止めされている。
樹脂製スライダー部６４３ａは、ガイドレール６０２の開口側から開口奥側に向かって段差を以て幅広になり、ガイドレール６０２と平生より比較的密にガタなく摺動可能に係合する。
一方、金属製スライダー部６４３ｂは樹脂製スライダー部６４３ａよりも外形寸法（幅寸法、厚み寸法）が一回り小さく、平生時に樹脂製スライダー部６４３ａがガイドレール６０２に比較的密に接しているときには、ガイドレール６０２との間に隙間を生じて、直接には接触しない。
【００６４】
このため、平生時には、ガイドレール６０２との間の摺動性が円滑な樹脂製スライダー部６４３ａがガイドレール６０２と係合摺動して、ガイドレール６０２内での連動バー６０１の動きが滑らかである。この場合には、金属製スライダー部６４３ｂはガイドレール６０２との間に隙間を生じているため、円滑な動きを妨げることがない。
一方、火災時には、熱によって樹脂製スライダー部６４３ａが溶融する場合があるが、このような場合には、金属製スライダー部６４３ｂがガイドレール６０２と係合するため、連動バー６０１が脱落するおそれがない。
尚、図示の実施形態では、連動バー６０１の長手方向の中間部位に金属製スライダー部６４３ｍが設けられている。これにより、火災時における連動バー６０１の脱落防止力が強化されている。
【００６５】
操作機構６３０の操作レバー６３１は、図６の（Ａ）部で見て時計方向に回動する。障子４０を閉止状態にして、操作レバー６３１に対してこの回動操作を行い、図示された向きとは上下が反転する位置まで回動させると、この回動変位によって、回動レバー６３２が図６の（Ａ）部で見て反時計方向に回動し、回動レバー６３２の先端側が下降する。この回動に伴い、回動レバー６３２の長孔６３３の先端側が下降するため、係合ピン６４２、従って、連結係合スライダー６４１が下降し、これに伴って、連動バー６０１が下降する。
上述のようにして連動バー６０１が下降すると、連動バー６０１に設けられた被係合片６１１，６１２，６１３が下降して、各対応する係合部６２１，６２２，６２３に係合して、障子４０が閉止状態でロックされる。
操作レバー６３１を上述とは逆方向に回動操作すれば、各対応部が逆方向に作動してロックが解除される。図６の（Ａ）部はこのロック解除状態を表している。
【００６６】
図５を参照して既述のように、本実施形態では、特に、連動バー６０１の上端が戸先側の採風縦框４１３の上端に臨む位置まで延長され、この延長された上端側近傍に最上段の被係合片６１３が設けられている。また、この最上段の被係合片６１３に対応して、戸先側の開口部縦枠５３の見込面４１３ｓに最上段の係合部６２３が設けられている。
この最上段の１対の被係合片６１３及び係合部６２３が係合することによって、火災時に高温に晒されても障子４０の反りが効果的に抑制される。
【００６７】
また、本実施形態では、特に、火災時に高温に晒されて障子４０が反ってしまうことを抑止するために、熱膨張によって下方に延びた戸先側の採風縦框４１３の下端側を支える支持部材７００が配設されている。
次に、図７及び図８を参照して、支持部材７００について説明する。
図７は、縦辷り出し窓３０ａの支持部材７００周りの斜視図である。
また、図８は、支持部材７００近傍を断面視した図である。
図７及び図８において、既述の図３との対応部には同一の符号を附して示し、個々の説明は適宜省略する。
支持部材７００は、縦辷り出し窓３０ａにおける開口部下枠５２の、戸先側の採風縦框４１３の下端側見込面４１３ｖ（後述するように、戸先側の採風下框４１２の下端側見込面４１２ｓと面一であるが、図８では現れない）に対向する部位に配設されている。この支持部材７００は、戸先側の採風縦框４１３の下端側見込面４１３ｖに近接対向する支持面部７０１を有する。
図８の断面視では、支持部材７００自体に断面がかかることを避け、戸先側の採風縦框４１３の下端に水平方向（図８の紙面における奥行方向）に連なる戸先側の採風下框４１２を断面視している。このため、戸先側の採風縦框４１３の下端側見込面４１３ｖは図８では現れず、この下端側見込面４１３ｖに実質的に面一に連なる戸先側の採風下框４１２の下端側見込面４１２ｓが現れている。従って、下端側見込面４１２ｓと下端側見込面４１３ｖとは、高さ位置が等しい。
【００６８】
図７を参照して容易に理解される通り、支持部材７００は、開口部下枠５２の上面に沿って取り付けられる取付面部７０２と、取付面部７０２から支持面部７０１の一方の長辺側に向かって垂直に起立した起立部７０３と、支持面部７０１の他方の長辺側から開口部下枠５２の上面に臨む位置まで垂直に垂下した垂下部７０４とを含む。支持部材７００は、取付面部７０２、起立部７０３、支持面部７０１、及び、垂下部７０４が、金属版を折り曲げて製作される一つの金具をなしている。この支持部材７００は取付面部７０２において、２本のネジ７０５によって開口部下枠５２の上面に締結されている。
【００６９】
図７及び図８を参照して説明した支持部材７００は、上述のように、その支持面部７０１が戸先側の採風縦框４１３の下端側見込面４１３ｖに近接対向している。図８では、下端側見込面４１３ｖと同一の高さ位置にある採風下框４１２の下端側見込面４１２ｓと支持面部７０１との間隔がｄとして表されている。
この間隔ｄは、火災時に熱膨張によって下方に変位した戸先側の採風縦框４１３の下端側見込面４１３ｖを支持面部７０１によって支持するに適した間隔として選択され、例えば、３ｍｍ程度に設定される。戸先側の採風縦框４１３の下端側見込面４１３ｖが下方に変位して支持面部７０１に当接すると、この当接によって下端側見込面４１３ｖは強固に動きが拘束される。従って、火災時に高温に晒されて障子４０が反ってしまうことが効果的に抑止される。
【００７０】
上述のように、支持部材７００は、取付面部７０２側のみが開口部下枠５２の上面にネジ止めされ、且つ、支持面部７０１の他方の長辺側から開口部下枠５２の上面に臨む位置まで垂直に垂下した垂下部７０４の下端側は開口部下枠５２の上面に達せず若干の間隙を残している。
このため、全体として板状の金属部材でなる支持部材７００の支持面部７０１は、戸先側の採風縦框４１３の下端側見込面４１３ｖを一定の弾性力をもって押圧支持することになる。従って、支持部材７００の支持面部７０１による戸先側の採風縦框４１３の下端側見込面４１３ｖへの位置ずれの拘束力は一層強くなる。即ち、この拘束力によって下端側見込面４１３ｖの位置ずれが強力に規制され、障子４０の反りが極めて効果的に抑止される。
【００７１】
以上に詳述した本発明の実施形態では、次のような作用効果を奏する。
本実施形態では、戸１の開口部３０に開閉可能に設けられた縦辷り出し窓３０ａにおいて、戸先側の採風縦框４１３の見込面４１３ｓに沿って操作レバー６３１の操作に連動して上下方向にスライド可能な連動バー６０１を設けた。
また、連動バー６０１の上下方向に間隔を空けて、戸先側の採風縦框４１３側に向かって突出する被係合片６１１，６１２，６１３を設け、障子４０が閉止した状態で連動バー６０１に対向する戸先側の開口部縦枠５３の見込面に、被係合片６１１，６１２，６１３がそれぞれ係合可能な係合部６２１，６２２，６２３を設けた。
これにより、被係合片６１１，６１２，６１３と係合部６２１，６２２，６２３とがそれぞれ係合することにより、火災時に障子４０の反り（特に障子４０の上部の反り）が効果的に抑止される。
【００７２】
また本実施形態では、障子４０が閉止した状態で横枠を構成する開口部下枠５２の戸先側の採風縦框４１３の下端面に対向する部位に、火災時に戸先側縦框の下端側見込面４１３ｖを支持可能な支持面部７０１を有する支持部材７００を設けた。
これにより、支持部材７００の支持面部７０１によって戸先側縦框の下端側見込面４１３ｖが支持されるため、火災時に障子４０の反り（特に障子４０の下部の反り）が効果的に抑止される。
【００７３】
また本実施形態では、縦辷り出し窓３０ａにおいて、被係合片６１１，６１２，６１３及び係合部６２１，６２２，６２３を、操作レバー６３１の位置に対して、上下方向に２対（６１１，６２１;６１２，６２２）設けるとともに、更に戸先側縦框（戸先側の採風縦框４１３）の上端側に１対（６１３，６２３）設けた。
これにより、上端側の少なくとも１対の被係合片６１３及び係合部６２３が、火災時に特に効果的に障子４０の上部の反りを抑止する。
【００７４】
また本実施形態では、連動バー６０１において、樹脂により形成され、戸先側の採風縦框４１３の見込面４１３ｓに形成された溝に係合して摺動可能な樹脂製スライダー部６４３ａと、金属により形成され、火災時に溝に係合可能な金属製スライダー部６４３ｂとを設けた。
これにより、平生は樹脂製スライダー部６４３ａによって滑らかな動作が行われる一方、火災時においても、金属製スライダー部６４３ｂが熱に耐えて連動バー６０１の脱落が免れる。
【００７５】
また、上記縦辷り出し窓３０ａは、戸１に設けられた採風窓であるため、平生時は戸１を閉じたままで、縦辷り出し窓３０ａによって採風が可能である一方、火災時の防火性も十分なものになる。
【符号の説明】
【００７６】
１…戸
３０…開口部
３０ａ…縦辷り出し窓
４０…障子
５０…開口部枠体
５１…開口部上枠
５２…開口部下枠
５３…戸先側の開口部縦枠
５４…吊元側の開口部縦枠
１００…建具
４１１…採風上框
４１２…採風下框
４１３…戸先側の採風縦框
４１３ｓ…見込面
４１３ｖ…下端側見込面
４１４…吊元側の採風縦框
６００…ロック機構
６０１…連動バー
６１１，６１２，６１３…被係合片
６２１，６２２，６２３…係合部
６３１…操作レバー
６４３…係合スライダー
６４３ａ…樹脂製スライダー部
６４３ｂ…金属製スライダー部
６４３ｍ…金属製スライダー
７００…支持部材
【図１】
0006386354.tif 000002
【図２】
0006386354.tif 000003
【図３】
0006386354.tif 000004
【図４】
0006386354.tif 000005
【図５】
0006386354.tif 000006
【図６】
0006386354.tif 000007
【図７】
0006386354.tif 000008
【図８】
0006386354.tif 000009